(57)【要約】      （修正有）【課題】熱交換器に対する排水性を確保しつつ、熱交換器を安定的に保持する。【解決手段】空気調和機の室外機は、熱交換器と、熱交換器を搭載する底ベースと、熱交換器と前記底ベースとの間に配置されたスペーサ２０と、を有している。スペーサは、熱交換器を支持する第１支持部２１ａと、奥行き寸法Ｄ２１ｂが第１支持部２１ａの奥行き寸法Ｄ２１ａよりも小さい値に設定され、かつ、奥行き方向において熱交換器の一部分のみを支持する第２支持部２１ｂと、を備えている。【選択図】図５
2018151103.tif 000002
【特許請求の範囲】
【請求項１】
熱交換器と、
前記熱交換器を搭載する底ベースと、
前記熱交換器と前記底ベースとの間に配置されたスペーサと、を有し、
前記スペーサは、
前記熱交換器を支持する第１支持部と、
奥行き寸法が前記第１支持部の奥行き寸法よりも小さい値に設定され、かつ、奥行き方向において前記熱交換器の一部分のみを支持する第２支持部と、を備えている
ことを特徴とする空気調和機の室外機。
【請求項２】
請求項１に記載の空気調和機の室外機において、
前記第１支持部は、奥行き寸法が前記熱交換器の奥行き寸法と同等以上の値に設定されており、
前記第２支持部は、奥行き寸法が前記熱交換器の奥行き寸法よりも小さい値に設定されている
ことを特徴とする空気調和機の室外機。
【請求項３】
請求項１又は請求項２に記載の空気調和機の室外機において、
前記第１支持部の上面と前記第２支持部の上面は、略平坦な同一の水平面になっている
ことを特徴とする空気調和機の室外機。
【請求項４】
請求項１乃至請求項３のいずれか一項に記載の空気調和機の室外機において、
前記スペーサは、前記第１支持部と前記第２支持部との間に、隙間を介して前記熱交換器の下面に対向する対向部を備えている
ことを特徴とする空気調和機の室外機。
【請求項５】
請求項４に記載の空気調和機の室外機において、
前記隙間の寸法は、５ｍｍ以下である
ことを特徴とする空気調和機の室外機。
【請求項６】
請求項４又は請求項５に記載の空気調和機の室外機において、
前記対向部は、水平方向に対して傾斜配置された傾斜部及び当該対向部を上下方向に貫通して配置された孔部のいずれか一方又は双方を備えている
ことを特徴とする空気調和機の室外機。
【請求項７】
請求項１乃至請求項６のいずれか一項に記載の空気調和機の室外機において、
前記スペーサは、前記底ベースに当接する脚部を備えている
ことを特徴とする空気調和機の室外機。
【請求項８】
請求項７に記載の空気調和機の室外機において、
前記脚部は、前記第１支持部及び前記第２支持部のいずれか一方又は双方の縁部に沿って形成されている
ことを特徴とする空気調和機の室外機。
【請求項９】
請求項１乃至請求項８のいずれか一項に記載の空気調和機の室外機において、
前記スペーサは、前記底ベースに設けられた縁部に係合するフック部を備えている
ことを特徴とする空気調和機の室外機。
【請求項１０】
請求項１乃至請求項９のいずれか一項に記載の空気調和機の室外機において、
前記スペーサは、ネジが挿通されるネジ孔部を備えている
ことを特徴とする空気調和機の室外機。
【請求項１１】
請求項１乃至請求項１０のいずれか一項に記載の空気調和機の室外機において、
前記熱交換器と前記底ベースとは、金属で構成され、
前記スペーサは、樹脂材で構成されている
ことを特徴とする空気調和機の室外機。
【請求項１２】
請求項１乃至請求項１１のいずれか一項に記載の空気調和機の室外機において、
前記スペーサの個数は、２個以上である
ことを特徴とする空気調和機の室外機。
【発明の詳細な説明】
【技術分野】
【０００１】
本発明は、空気調和機の室外機に関する。
【背景技術】
【０００２】
従来、空気調和機の室外機において、熱交換器や底ベースの金属腐食を防ぐために、底ベースと熱交換器との間にスペーサを配置し、スペーサを介して底ベースの上で熱交換器を保持する構造になっている室外機があった（例えば、特許文献１及び特許文献２参照）。このような室外機では、熱交換器の内部に配置されたフィンに付着した水滴がスペーサの上に落下するため、その水滴がスペーサの上に留まらないように、スペーサの上から水滴を落下させることが望まれていた。そこで、水滴を落下させるための傾斜部が上面に形成されたスペーサを室外機に用いることが提案されていた。
【先行技術文献】
【特許文献】
【０００３】
【特許文献１】特許第５４６４２０７号公報
【特許文献２】特許第５４０１６８５号公報
【発明の概要】
【発明が解決しようとする課題】
【０００４】
しかしながら、そのようなスペーサを用いた従来の室外機は、スペーサの上面に傾斜部が形成されているため、熱交換器を保持するための保持力が維持し難い構造になっていた。このような従来の室外機は、熱交換器を安定して保持することができないときがある、という課題があった。また、従来の室外機は、スペーサが通水抵抗となって、熱交換器に対する排水性を大幅に低下させないようにすることが望まれている、という課題もあった。
【０００５】
本発明は、前記した課題を解決するためになされたものであり、熱交換器に対する排水性を確保しつつ、熱交換器を安定的に保持する空気調和機の室外機を提供することを主な目的とする。
【課題を解決するための手段】
【０００６】
前記目的を達成するため、本発明は、空気調和機の室外機であって、熱交換器と、前記熱交換器を搭載する底ベースと、前記熱交換器と前記底ベースとの間に配置されたスペーサと、を有し、前記スペーサは、前記熱交換器を支持する第１支持部と、奥行き寸法が前記第１支持部の奥行き寸法よりも小さい値に設定され、かつ、前記熱交換器の一部分のみを支持する第２支持部と、を備えている構成とする。
その他の手段は、後記する。
【発明の効果】
【０００７】
本発明によれば、熱交換器に対する排水性を確保しつつ、熱交換器を安定的に保持することができる。
【図面の簡単な説明】
【０００８】
【図１】実施形態１に係る空気調和機の構成を示す概略図である。
【図２】実施形態１に係る室外機の内部構造を示す断面斜視図である。
【図３】実施形態１に係る室外機に用いるスペーサとその周囲の構造を示す斜視図である。
【図４】実施形態１に係る室外機に用いるスペーサとその周囲の構造を示す拡大斜視図である。
【図５】実施形態１に係るスペーサの構造を示す斜視図である。
【図６】実施形態２に係るスペーサの構造を示す斜視図である。
【図７】変形例に係るスペーサの構造を示す斜視図である。
【発明を実施するための形態】
【０００９】
以下、図面を参照して、本発明の実施の形態（以下、「本実施形態」と称する）につき詳細に説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００１０】
［実施形態１］
本発明は、後記する室外機２に用いるスペーサ２０の構造に特徴を有している。そこで、以下、まず、室外機２を含む空気調和機１００の構成を説明し、次に、室外機２の内部構造を説明し、最後に、スペーサ２０の構造を説明する。
【００１１】
＜空気調和機の構成＞
以下、図１を参照して、本実施形態１に係る空気調和機１００の構成につき説明する。図１は、本実施形態１に係る空気調和機１００の構成を示す概略図である。
【００１２】
空気調和機１００は、例えばヒートポンプ技術等を用いて冷房や暖房等の空気調和を行う装置である。図１に示すように、空気調和機１００は、室内の壁や天井、床等に設置される室内機１と、屋外等に設置される室外機２と、室内の使用者の手元付近に配置されたリモートコントローラリモコン３と、を有している。室内機１は、冷媒と室内空気との間で熱交換を行う装置である。室外機２は、冷媒と室外空気との間で熱交換を行う装置である。室内機１と室外機２とは、接続配管４ａと通信ケーブル４ｂとで接続されている。なお、室内機１は、公知の装置であるとともに、本発明の特徴部分とは関連性が低いため、ここでは、説明を省略する。
【００１３】
＜室外機の内部構造＞
以下、図２を参照して、室外機２の内部構造につき説明する。図２は、室外機２の内部構成を示す断面斜視図である。
【００１４】
図２に示すように、室外機２の全体形状は、横長の略四角柱の形状を呈している。室外機２は、底部に、横長の矩形の上面視形状を呈する底ベース５を有している（図３参照）。底ベース５は、例えば鉄合金等の、比較的丈夫な金属で構成されている。室外機２は、底ベース５に載置された仕切り板６によって、機械室２ａと熱交換器室２ｂとに区画されている。
【００１５】
機械室２ａには、循環する冷媒を圧縮して高温高圧のガス冷媒に変える圧縮機７と、冷媒を減圧する電動膨張弁８と、各部を制御駆動する電装品９と、冷媒が流れる冷媒配管１０とが配設されている。冷媒配管１０は、バルブ１７を介して接続配管４ａ（図１参照）と接続されており、接続配管４ａにより室内機１（図１参照）と接続されている。
【００１６】
熱交換器室２ｂには、循環する冷媒と室外空気との間で熱交換を行う熱交換器（室外熱交換器）１１と、室外空気を熱交換器室２ｂの内部に流入させる室外機ファン１３と、室外機ファン１３を駆動させるモータ（図示せず）と、室外機ファン１３を回転自在に支持するファン支柱１４とが配設されている。
【００１７】
熱交換器１１は、略Ｌ字の上面視形状を呈している。熱交換器１１は、複数の熱交換部１２（ここでは、２つの熱交換部１２ａ，１２ｂ）を備えている。２つの熱交換部１２ａ，１２ｂは、底ベース５の上で近接（又は密着）して配置されている。熱交換部１２ａは、冷媒が流れる複数の伝熱管１５ａと、各伝熱管１５ａに接合された複数のフィン１６ａとを有している。同様に、熱交換部１２ｂは、複数の伝熱管１５ｂと、各伝熱管１５ｂに接合された複数のフィン１６ｂとを有している。以下、伝熱管１５ａ，１５ｂを総称する場合に「伝熱管１５」と称する。また、フィン１６ａ，１６ｂを総称する場合に「フィン１６」と称する。
【００１８】
熱交換器１１（特に、熱交換器１１の内部に配置されたフィン１６）は、例えばアルミニウム合金等の、比較的軽量な金属で構成されている。熱交換器１１と底ベース５との間には、イオン化傾向の差が生じている。そのため、熱交換器１１と底ベース５とが直接接触すると、熱交換器１１（特に、熱交換器１１の内部に配置されたフィン１６）や底ベース５に金属腐食が発生する。そこで、熱交換器１１と底ベース５との間には、複数のスペーサ２０が配置されている。スペーサ２０は、熱交換器１１（特に、熱交換器１１の内部に配置されたフィン１６）や底ベース５の金属腐食を防ぐための部材である。スペーサ２０は、樹脂材で構成されている。室外機２は、熱交換器１１と底ベース５とが接触しないように、スペーサ２０を介して底ベース５の上で熱交換器１１を保持している。
【００１９】
スペーサ２０の個数は、好ましくは２個以上であるとよい。本実施形態１では、室外機２は、略Ｌ字の上面視形状を呈する熱交換器１１を３個のスペーサ２０で保持するものとして説明する（図３参照）。しかしながら、スペーサ２０の個数は、熱交換器１１の寸法や重量（例えば、全体重量及び各部における重量のバランス）等に応じて任意に変更することができる。
【００２０】
＜スペーサの構造＞
以下、図３乃至図５を参照して、スペーサ２０の構造につき説明する。図３は、スペーサ２０とその周囲の構造を示す斜視図である。図４は、スペーサ２０とその周囲の構造を示す拡大斜視図である。図４（ａ）は、スペーサ２０の上に熱交換器１１を配置した状態を示しており、図４（ｂ）は、熱交換器１１を省略した状態を示している。図５は、スペーサ２０の構造を示す斜視図である。図５（ａ）は、正面方向から見たスペーサ２０の構造を示しており、図５（ｂ）は、背面方向から見たスペーサ２０の構造を示している。
【００２１】
図３に示す例では、底ベース５の縁部５ｅｄの内側に沿って３個のスペーサ２０が配置されている。底ベース５の縁部５ｅｄは、底ベース５の外周縁に沿って上方に突出するように形成されている。底ベース５の縁部５ｅｄの内側には、上面５ｔｐと底面５ｂｔとの間に所望の高低差を有する段差部５ｄｉが形成されている。各スペーサ２０は、縁部５ｅｄとその段差部５ｄｉとにあてがうことが可能な形状に形成されている。
【００２２】
各スペーサ２０は、略Ｌ字の上面視形状を呈する熱交換器１１（図２参照）を安定して保持することができるように、熱交換器１１の寸法や重量（例えば、全体重量及び各部における重量のバランス）等が考慮された好適な位置に配置されている。
【００２３】
略Ｌ字の上面視形状を呈する熱交換器１１（図２参照）の角部の直下となる部分である底ベース５の角部には、排水用の排水路５ｗｃと排水用の孔部５ｈｏとが形成されている。排水路５ｗｃ及び孔部５ｈｏは、熱交換器１１の内部に配置されたフィン１６（図２参照）に付着してそこから落下する水滴を室外機２（図２参照）の外部に排出するために設けられている。なお、排水路５ｗｃ及び孔部５ｈｏの個数や配置位置は、任意に変更することができる。
【００２４】
図４（ａ）に示すように、スペーサ２０は、熱交換器１１と底ベース５との間に配置されることによって、熱交換器１１と底ベース５（具体的には、底ベース５に形成された段差部５ｄｉの上面５ｔｐ）との間に隙間ＳＰ２２を確保している。隙間ＳＰ２２の寸法は、後記する支持部２１の奥部２２の厚さに相当する。支持部２１の奥部２２は、スペーサ２０における、底ベース５に形成された段差部５ｄｉの上面５ｔｐの上に載っている部位である（図４（ｂ）参照）。
【００２５】
熱交換器１１の内部には、複数のフィン１６ａと複数のフィン１６ｂとが配置されている。フィン１６ａとフィン１６ｂとは、奥行き方向（熱交換器１１の厚み方向）に２列に近接（又は密着）して配置されている。また、複数のフィン１６ａのそれぞれは、熱交換器１１の延在方向に沿って等間隔に配置されている。同様に、複数のフィン１６ｂのそれぞれも、熱交換器１１の延在方向に沿って等間隔に配置されている。熱交換器１１の下部には、開口部（図示せず）が形成されている。そのため、熱交換器１１の内部は、底ベース５側に露出している。
【００２６】
本実施形態１では、熱交換器１１の奥行き寸法（厚み）が「Ｄ１１」（図４（ａ）参照）であるものとして説明する。また、底ベース５の段差部５ｄｉの高さが「Ｈ５ｄｉ」（図４（ｂ）参照）であるものとして説明する。
【００２７】
図５（ａ）に示すように、スペーサ２０は、熱交換器１１を支持する支持部２１と、支持部２１を支える脚部３１と、支持部２１から上方に突出するように形成された立設部３２と、底ベース５の縁部５ｅｄ（図４（ｂ）参照）に係合するフック部３３とを備えている。フック部３３は、立設部３２の背面に対して略平行に配置された平板状の部位で構成されている（図５（ｂ）参照）。
【００２８】
支持部２１は、奥行き方向（熱交換器１１の厚み方向）において熱交換器１１の略全体を支持する第１支持部２１ａと、奥行き方向（熱交換器１１の厚み方向）において熱交換器１１の一部分のみを支持する第２支持部２１ｂとを有している。第２支持部２１ｂは、奥行き寸法Ｄ２１ｂが第１支持部２１ａの奥行き寸法Ｄ２１ａよりも小さい値に設定されている。第１支持部２１ａの上面と第２支持部２１ｂの上面は、略平坦な同一の水平面になっている。
【００２９】
本実施形態１では、スペーサ２０は、幅方向（熱交換器１１の延在方向）において、第１支持部２１ａがスペーサ２０の中央に形成されており、２つの第２支持部２１ｂが第１支持部２１ａの両横に配置された構造になっている。しかしながら、スペーサ２０は、このような形状に限定されない。例えば、スペーサ２０は、第１支持部２１ａの片側にのみ単一の第２支持部２１ｂを有する構造になっていてもよい。又は、例えば、スペーサ２０は、複数の第１支持部２１ａを有する構造になっていてもよい。
【００３０】
本実施形態１では、第１支持部２１ａの奥行き寸法（熱交換器１１の短手方向の幅）Ｄ２１ａが熱交換器１１の奥行き寸法（厚み）Ｄ１１と同等以上の値に設定されている。また、第２支持部２１ｂの奥行き寸法（熱交換器１１の短手方向の幅）Ｄ２１ｂが熱交換器１１の奥行き寸法（厚み）Ｄ１１よりも小さい値に設定されている。また、支持部２１の高さＨ２１が底ベース５の段差部５ｄｉの高さＨ５ｄｉよりも大きい値に設定されている。
【００３１】
＜スペーサの主な特徴＞
以下に説明するように、樹脂材で構成されたスペーサ２０は、熱交換器１１と底ベース５とが直接接触することを防止するとともに、熱交換器１１を安定して支持することができる。また、スペーサ２０は、支持部２１（特に、第２支持部２１ｂ）を、熱交換器１１のフィン１６（図４（ａ）参照）に付着した水分の落下を促進する導水板として機能させることができる。
【００３２】
以下、これらの特徴について説明する。ここでは、比較例として熱交換器１１と底ベース５との間にスペーサ２０が配置されておらず、段差部５ｄｉの上面５ｔｐで熱交換器１１を支持する構造になっている室外機１０２（図示せず）を例示し、その比較例の室外機１０２の動作と本実施形態１に係る室外機２の動作とを対比することによって、スペーサ２０の特徴を説明する。
【００３３】
一般に、空気調和機１００は、例えば暖房運転を行うと、室外空気の水分が結露水として室外機２の熱交換器１１のフィン１６（図４（ａ）参照）に付着する。また、空気調和機１００は、例えば雨天時に雨水が室外機２にかかると、その雨水によって発生する水分が室外機２の熱交換器１１のフィン１６（図４（ａ）参照）に付着する。フィン１６に付着した水分は、自重によってフィン１６の板面に沿って下方に流れ、フィン１６の下端部から垂れ下がった後、水滴としてフィン１６から落下する。落下した水滴は、底ベース５に形成された排水路５ｗｃ（図４（ａ）参照）に流入し、排水用の孔部５ｈｏ（図４（ａ）参照）へと導かれて、孔部５ｈｏから室外機２の外部に排水される。
【００３４】
（比較例の室外機）
ところで、比較例の室外機１０２（図示せず）は、熱交換器１１と底ベース５との間にスペーサ２０が配置されておらず、段差部５ｄｉの上面５ｔｐで熱交換器１１を支持する構造になっている。つまり、比較例の室外機１０２（図示せず）は、熱交換器１１が底面５ｂｔに直置きされておらず、熱交換器１１が底面５ｂｔから離間した構造になっている。このような比較例の室外機１０２（図示せず）では、熱交換器１１と底ベース５の段差部５ｄｉの上面５ｔｐとが直接接触するため、熱交換器１１と底ベース５とが接触する面に通水抵抗が発生する。したがって、比較例の室外機１０２（図示せず）では、熱交換器１１と底ベース５の段差部５ｄｉの上面５ｔｐとの間の通水抵抗が増大する。これにより、比較例の室外機１０２（図示せず）では、水分が熱交換器１１の下部（特にフィン１６と底ベース５の段差部５ｄｉの上面５ｔｐとの間の隙間やフィン１６と底面５ｂｔとの間の隙間）に滞留し易くなる。
【００３５】
また、フィン１６は、表面張力を有している。そのため、比較例の室外機１０２（図示せず）では、フィン１６に付着した水分は、水滴として自重で落下するサイズに成長するまで、フィン１６の下端部から垂れ下がった状態を維持し続ける。つまり、比較例の室外機１０２（図示せず）では、フィン１６に付着した水分をフィン１６から落下させて熱交換器１１から排水するには、水滴の自重がフィン１６の表面張力を上回るようになるまで水滴を成長させる時間が必要である。したがって、その時間が経過するまでは、フィン１６に付着した水分が、フィン１６から落下せずに、熱交換器１１の下部に滞在し続ける。
【００３６】
熱交換器１１の下部に滞留した水分は、金属腐食を発生させる。そのため、比較例の室外機１０２（図示せず）では、熱交換器１１（特に、熱交換器１１の内部に配置されたフィン１６）や底ベース５に金属腐食が発生し易くなる。
【００３７】
（実施形態に係る室外機）
これに対し、本実施形態１に係る室外機２は、熱交換器１１と底ベース５との間にスペーサ２０が配置されている。このような本実施形態１に係る室外機２は、支持部２１の高さＨ２１を段差部５ｄｉの高さＨ５ｄｉより大きくすることで、熱交換器１１と底ベース５との間に隙間ＳＰ２２（図４（ａ）参照）を確保して、熱交換器１１と底ベース５の段差部５ｄｉの上面５ｔｐとが直接接触しないようにすることができる。そのため、本実施形態１に係る室外機２は、熱交換器１１と底ベース５の段差部５ｄｉの上面５ｔｐとの間の通水抵抗を低減することができ、熱交換器１１に対する排水性を確保すること（熱交換器１１に対する排水性を向上させること）ができる。したがって、本実施形態１に係る室外機２は、水分が熱交換器１１の下部（特にフィン１６と底ベース５の段差部５ｄｉの上面５ｔｐとの間の隙間やフィン１６と底面５ｂｔとの間の隙間）に滞留することを抑制することができる。
【００３８】
また、本実施形態１に係る室外機２では、フィン１６に付着した水分は、水滴として自重で落下するサイズに成長しなくても、フィン１６から垂れ下がった部分が支持部２１の板面や支持部２１に付着した水滴に接触した時点で、支持部２１が有する表面張力に引っ張られて、フィン１６から落下する。つまり、フィン１６に付着した水分は、自重で落下するサイズに成長しなくても、支持部２１の板面や支持部２１に付着した水滴に接触した時点で、フィン１６から落下する。特に、第２支持部２１ｂは、奥行き寸法Ｄ２１ｂが第１支持部２１ａの奥行き寸法Ｄ２１ａよりも小さいため、第１支持部２１ａよりも効率よくフィン１６から水分を落下させることができる。したがって、スペーサ２０は、支持部２１（特に、第２支持部２１ｂ）を、フィン１６に付着した水分の落下を促進する導水板として機能させることができる。本実施形態１に係る室外機２は、このようなスペーサ２０を用いることにより、熱交換器１１の内部から外部に水分を排水することができ、熱交換器１１に対する排水性を確保すること（熱交換器１１に対する排水性を向上させること）ができる。そのため、本実施形態１に係る室外機２は、水分が熱交換器１１の下部に滞留することをさらに抑制することができる。
【００３９】
このような本実施形態１に係る室外機２は、熱交換器１１（特に、熱交換器１１の内部に配置されたフィン１６）や底ベース５に金属腐食が発生することを効率よく抑制することができる。
【００４０】
なお、スペーサ２０の支持部２１は、熱交換器１１との間の通水抵抗を低減するために、できるだけ小型化することが望ましい。ただし、スペーサ２０は、支持部２１を小型化し過ぎると、熱交換器１１を保持する保持力が低下する。そのため、スペーサ２０は、熱交換器１１を安定的に支持し難くなる。
【００４１】
例えば、スペーサ２０は、奥行き方向（熱交換器１１の厚み方向）における支持部２１の寸法を小さくすると、奥行き方向（熱交換器１１の厚み方向）に熱交換器１１を保持する保持力が低下する。そのため、この場合に、熱交換器１１は、奥行き方向（熱交換器１１の厚み方向）にガタツキが発生する可能性がある。
【００４２】
また、例えば、スペーサ２０は、幅方向（熱交換器１１の延在方向（長手方向））における支持部２１の寸法を小さくすると、幅方向（熱交換器１１の延在方向）における熱交換器１１を保持する保持力が低下する。そのため、この場合に、熱交換器１１は、幅方向（熱交換器１１の延在方向）にガタツキが発生する可能性がある。
【００４３】
そこで、本実施形態１では、スペーサ２０は、支持部２１として、奥行き方向（熱交換器１１の厚み方向）において熱交換器１１の全体を支持する第１支持部２１ａと、奥行き方向（熱交換器１１の厚み方向）において熱交換器１１の一部分のみを支持する第２支持部２１ｂとを備える構造になっている。そして、第１支持部２１ａの上面と第２支持部２１ｂの上面は、略平坦な同一の水平面になっている。
【００４４】
このようなスペーサ２０は、奥行き方向（熱交換器１１の厚み方向）において熱交換器１１を保持する保持力を第１支持部２１ａによって確保することができる。また、スペーサ２０は、幅方向（熱交換器１１の延在方向）において熱交換器１１を保持する保持力を第２支持部２１ｂによって確保することができる。そのため、スペーサ２０は、熱交換器１１のガタツキを発生させることなく、奥行き方向（熱交換器１１の厚み方向）と幅方向（熱交換器１１の延在方向）との双方において、熱交換器１１を安定して保持することができる。
【００４５】
しかも、スペーサ２０の第２支持部２１ｂの奥行き寸法Ｄ２１ｂは、熱交換器１１の奥行き寸法Ｄ１１よりも小さい値に設定されている。そのため、スペーサ２０は、第１支持部２１ａと熱交換器１１との間の接触面積よりも、第２支持部２１ｂと熱交換器１１との間の接触面積を狭くすることができる。したがって、スペーサ２０は、第１支持部２１ａと熱交換器１１との間の通水抵抗よりも、第２支持部２１ｂと熱交換器１１との間の通水抵抗を小さくすることができる。このようなスペーサ２０は、フィン１６に付着した水分の落下を第２支持部２１ｂで促進して、熱交換器１１に対する排水性を確保すること（熱交換器１１に対する排水性を向上させること）ができる。そのため、本実施形態１に係る室外機２は、水分が熱交換器１１の下部に滞留することを抑制することができる。したがって、スペーサ２０は、第１支持部２１ａと第２支持部２１ｂを併設することにより、熱交換器１１を安定的に保持しつつ、熱交換器１１に対する排水性を高めることが可能となる。
【００４６】
また、スペーサ２０は、底ベース５に当接する脚部３１を備えている。その脚部３１は、第１支持部２１ａ及び第２支持部２１ｂのいずれか一方又は双方の縁部に沿って形成されているため、強い強度を確保することができる。したがって、スペーサ２０は、少ない個数で熱交換器１１による大きな荷重を安定して支えることができる。
【００４７】
以上の通り、本実施形態１に係る室外機２によれば、熱交換器１１に対する排水性を確保しつつ、熱交換器１１を安定的に保持することができる。また、室外機２によれば、金属腐食をより一層防止することができる。
【００４８】
［実施形態２］
本実施形態２では、実施形態１に係るスペーサ２０と比較して、熱交換器１１に対する排水性を向上させるとともに、強度を向上させたスペーサ２０Ａを提供する。
【００４９】
以下、図６を参照して、本実施形態２に係るスペーサ２０Ａの構造につき説明する。図６は、本実施形態２に係るスペーサ２０Ａの構造を示す斜視図である。図６（ａ）は、スペーサ２０Ａとその周囲の構造を示しており、図６（ｂ）は、スペーサ２０Ａを拡大して示している。
【００５０】
図６に示すように、本実施形態２に係るスペーサ２０Ａは、実施形態１に係るスペーサ２０（図５（ａ）参照）と比較すると、対向部２３を有している点で相違している。対向部２３は、隙間ＳＰ２３を介して熱交換器１１の下面（つまり、フィン１６の下部）と対向している部位である。
【００５１】
スペーサ２０Ａは、支持部２１と同様に、対向部２３を、フィン１６に付着した水分の落下を促進する導水板として機能させることができる。そのため、フィン１６に付着した水分は、自重で落下するサイズに成長しなくても、フィン１６から垂れ下がった部分が対向部２３の板面や対向部２３に付着した水滴に接触した時点で、対向部２３が有する表面張力に引っ張られて、フィン１６から落下する。これにより、本実施形態２に係るスペーサ２０Ａを用いた室外機２は、実施形態１に係るスペーサ２０を用いる場合よりも効率よく熱交換器１１の内部から外部に水分を排水することができ、熱交換器１１に対する排水性を向上させることができる。
【００５２】
なお、熱交換器１１の下面と対向部２３との間の隙間ＳＰ２３の寸法は、対向部２３の深さ（すなわち、支持部２１の上面から対向部２３の上面までの距離）に相当する。スペーサ２０Ａは、隙間ＳＰ２３の寸法を一定の値以下（例えば、５ｍｍ以下）に設定することにより、対向部２３を、フィン１６に付着した水分の落下を促進する導水板として機能させることができる。ただし、スペーサ２０Ａは、隙間ＳＰ２３の寸法を小さくし過ぎる（狭め過ぎる）と、熱交換器１１に対する排水性が低下する。そのため、熱交換器１１に対する排水性を考慮して（つまり、フィン１６から効率よく落下させる水滴のサイズを考慮して）、隙間ＳＰ２３の寸法は、スペーサ２０Ａのサイズに関係なく、特に１．５ｍｍ程度にすることが好ましい。
【００５３】
また、スペーサ２０Ａは、第１支持部２１ａと第２支持部２１ｂとの間を対向部２３で接続することにより、強度を向上させることができる。そのため、スペーサ２０Ａは、少ない個数で熱交換器１１による大きな荷重を安定して支えることができる。
【００５４】
以上の通り、本実施形態２に係るスペーサ２０Ａを用いた室外機２によれば、実施形態１に係るスペーサ２０を用いる場合と同様に、熱交換器１１に対する排水性を確保しつつ、熱交換器１１を安定的に保持することができる。
しかも、本実施形態２に係るスペーサ２０Ａを用いた室外機２によれば、実施形態１に係るスペーサ２０を用いる場合に比べて、熱交換器１１に対する排水性を向上させるとともに、スペーサ２０Ａの強度を向上させることができる。
【００５５】
本発明は、前記した実施形態に限定されるものではなく、様々な変形例が含まれる。例えば、前記した実施形態は、本発明を分かり易く説明するために詳細に説明したものであり、必ずしも説明した全ての構成を備えるものに限定されるものではない。また、実施形態の構成の一部を他の構成に置き換えることが可能であり、また、実施形態の構成に他の構成を加えることも可能である。また、各構成の一部について、他の構成の追加・削除・置換をすることが可能である。
【００５６】
また、例えば、前記した実施形態２に係るスペーサ２０Ａ（図６参照）は、図７に示すスペーサ２０Ｂ，２０Ｃのように変形することができる。図７は、実施形態２の変形例に係るスペーサ２０Ｂ，２０Ｃの構成を示す斜視図である。図７（ａ）は、第１変形例に係るスペーサ２０Ｂの構造を示しており、図７（ｂ）は、第２変形例に係るスペーサ２０Ｃの構造を示している。
【００５７】
図７（ａ）に示すように、第１変形例に係るスペーサ２０Ｂは、実施形態２に係るスペーサ２０Ａ（図６参照）と比較すると、対向部２３が水平方向に対して傾斜配置された傾斜部２３Ｂをその上面に備えている点、及び、ネジ４４が挿通されるネジ孔部３４を立設部３２に備えている点、で相違している。
【００５８】
このような第１変形例に係るスペーサ２０Ｂは、フィン１６から落下する水滴を傾斜部２３Ｂで対向部２３の下側に直ちに流れさせることができるため、熱交換器１１に対する排水性を向上させることができる。また、第１変形例に係るスペーサ２０Ｂは、ネジ４４で立設部３２を底ベース５の縁部５ｅｄに締結することができるため、熱交換器１１を保持する保持力を向上させることができる。
【００５９】
図７（ｂ）に示すように、第２変形例に係るスペーサ２０Ｃは、実施形態２に係るスペーサ２０Ａ（図６参照）と比較すると、対向部２３を上下方向に貫通して配置された孔部２３ｈｏを備えている点、及び、ネジ４４が挿通されるネジ孔部３４を立設部３２に備えている点、で相違している。
【００６０】
このような第２変形例に係るスペーサ２０Ｃは、フィン１６から落下する水滴を孔部２３ｈｏを介して対向部２３の下側に直ちに流れさせることができるため、熱交換器１１に対する排水性を向上させることができる。また、第２変形例に係るスペーサ２０Ｃは、ネジ４４で立設部３２を底ベース５の縁部５ｅｄに締結することができるため、熱交換器１１を保持する保持力を向上させることができる。
なお、対向部２３は、傾斜部２３Ｂ（図７（ａ）参照）及び孔部２３ｈｏ（図７（ｂ）参照）の双方を備える構造にしてもよい。
【符号の説明】
【００６１】
１    室内機
２    室外機
２ａ    機械室
２ｂ    熱交換器室
３    リモートコントローラ
４ａ    接続配管
４ｂ    通信ケーブル
５    底ベース
５ｈｏ    底ベースの排水用の孔部
５ｔｐ    底ベースの上面
５ｗｃ    底ベースの排水路
６    仕切り板
７    圧縮機
８    電動膨張弁
９    電装品
１０    冷媒配管
１１    熱交換器
１２（１２ａ，１２ｂ）    熱交換部
１３    室外機ファン
１４    ファン支柱
１５    伝熱管
１６（１６ａ，１６ｂ）    フィン
１７    バルブ
５ｄｉ    底ベースの上面と排水路との間の段差部
２０    スペーサ
２１    支持部
２１ａ    スペーサの第１支持部
２１ｂ    スペーサの第２支持部
２２    支持部の奥部
２３，２３Ｂ    スペーサの対向部
２３ｈｏ    スペーサの対向部の排水用の孔部
３１    脚部
３２    立設部
３３    フック部
３４    ネジ孔部
４４    ネジ
５ｅｄ    縁部
１００    空気調和機
Ｄ１１    熱交換器の奥行き寸法（厚み）
Ｄ２１ａ    スペーサの第１支持部の奥行き寸法（短手方向の幅）
Ｄ２１ｂ    スペーサの第２支持部の奥行き寸法（短手方向の幅）
Ｈ５ｄｉ    底ベースの上面と排水路との間の段差部の高さ
Ｈ２１    スペーサの支持部の高さ
ＳＰ２２    熱交換器と底ベースとの間に隙間
ＳＰ２３    熱交換器の下面とスペーサの対向部との間の隙間（対向部の深さ）
【図１】
2018151103.tif 000003
【図２】
2018151103.tif 000004
【図３】
2018151103.tif 000005
【図４】
2018151103.tif 000006
【図５】
2018151103.tif 000007
【図６】
2018151103.tif 000008
【図７】
2018151103.tif 000009